(57)【要約】【課題】簡単な構成で建築物内や室内あるいは乗り物等の内部を外部の悪光熱環境から断熱、遮熱して環境改善を図る断熱シートを提供することを目的とする。【解決手段】第１熱反射シート１と、表面側に内装材３が設けられた第２熱反射シート２とを有し、第１および第２熱反射シートの間に空間形成材４を配置して静止空間層５を形成して断熱シートを構成したものである。また、静止空間層５の厚さを２〜１５ｍｍとし、空間比率を、空間形成材全体に対して０．５〜１０とすると共に内装材を第２熱反射シート表面が部分的に露出するように形成し、この第２熱反射シートの表面露出比率を内装材全体に対して０．０１〜０．５となるように構成したものである。【選択図】図１
2016148232.tif 000002
【特許請求の範囲】
【請求項１】
第１熱反射シートと、表面側に内装材が設けられた第２熱反射シートとを有し、前記第１および第２熱反射シートの間に空間形成材を配置して静止空間層を形成したことを特徴とする断熱シート。
【請求項２】
上記静止空間層の厚さを２〜１５ｍｍとしたことを特徴とする請求項１記載の断熱シート。
【請求項３】
上記静止空間層の空間比率を、空間形成材１に対して０．５〜１０としたことを特徴とする請求項１記載の断熱シート。
【請求項４】
上記第２熱反射シートに設けられた内装材を第２熱反射シート表面が部分的に露出するように形成し、この第２熱反射シートの表面露出比率を前記内装材１に対して０．０１〜０．５としたことを特徴とする請求項１記載の断熱シート。
【請求項５】
上記第１および第２熱反射シートの間に設けた空間形成材と静止空間層を複数分割するごとくさらに熱反射シートを配設したことを特徴とする請求項１記載の断熱シート。
【発明の詳細な説明】
【技術分野】
【０００１】  本発明は、建築物内や室内あるいは乗り物等の内部を外部の悪光熱環境から断熱、遮熱して環境改善を図るようにした断熱シートに関する。
【背景技術】
【０００２】  一般的に住宅、建築物や乗り物等の内部を外部の高光熱から断熱、遮熱するため、それらの壁・床・天井・屋根・間仕切り等に断熱材あるいは遮熱材を配設して快適環境の居住空間を形成するよう種々の提案がなされている。例えば、住宅の外壁と柱と柱との間に遮熱シートを配設して外壁との間に静止あるいは還流空間を形成すると共に、柱と柱との間と内装クロスとの間に遮熱シートを配設して静止空間を形成し、建物内外からの光熱を防ぐ技術が開示されている（例えば特許文献１）。【０００３】  また、プラスチック材や繊維材および薄板等より形成された内装クロスとアルミニウム支持材との間に樹脂発泡体よりなる断熱材を配置して中空空間を形成し、この断熱材と形成された中空空間とで断熱するようにした断熱シートを住宅、建築物や乗り物等の必要な個所に取り付けて快適環境の居住空間を形成するようにした技術も提案されている（例えば特許文献２）。
【先行技術文献】
【特許文献】
【０００４】
【特許文献１】特開２０１１−１０６１５４号  公報
【特許文献２】特開２０００−２６５５８９号  公報
【発明の概要】
【発明が解決しようとする課題】
【０００５】  しかしながら上記従来の構成では、特許文献１に開示の技術は住宅の外壁と柱と柱との間に遮熱シートを配設して外壁との間に静止あるいは還流空間を形成すると共に、柱と柱との間と内装クロスとの間に遮熱シートを配設して静止空間を形成し、建物内外からの光熱を遮熱シートと静止空間とで防ぐ構成となっており、外壁との間や内装クロスとの間に遮熱シートを建物の柱を活用して配設しなければならず、断熱、遮熱構成を建築物の構造に併せてその都度考慮しなければならないとか、構造が複雑な個所では手間暇が掛かりすぎるといったような課題を有していた。さらに、特許文献２に開示の技術は断熱部材をシート状に形成し、この断熱シートを必要な個所に取り付けて断熱するようにしたものであるが、断熱シートの居住空間側は樹脂発泡体よりなる断熱材の上にプラスチック材や繊維材および薄板等より形成された内装クロスを配設しただけなので、居住空間内の光熱は樹脂発泡体よりなる断熱材と形成された中空空間とが主体となった断熱でしかなく、中空空間への熱伝導が起こり室内の熱環境を維持することが困難となる。したがって、夏は冷気が、冬は温気が保てなくなるといったような多くの課題を有していた。【０００６】  本発明は上記従来の課題を解決するもので、簡単な構成で建築物内や室内あるいは乗り物等の内部を外部の悪光熱環境から断熱、遮熱して環境改善を図る断熱シートを提供することを目的とする。
【課題を解決するための手段】
【０００７】  上記課題を解決するために本発明の断熱シートは、第１熱反射シートと、表面側に内装材が設けられた第２熱反射シートとを有し、前記第１および第２熱反射シートの間に空間形成材を配置して静止空間層を形成したものである。従って、断熱シートを第２熱反射シート側を室内に向くよう外壁に張り付ければ、外部より入ってくる放射熱あるいは輻射熱は第１熱反射シートで反射して発熱を防止し、さらに静止空間層で熱伝導が阻止されることになる。また、室内からの光熱による対流熱や輻射熱も第２熱反射シートで反射し、さらに静止空間層で熱伝導が阻止されることになって快適な室内環境が維持でき、結果として結露をも防止できるという作用を有することとなる。【０００８】  また本発明の第２の断熱シートは、上記静止空間層の厚さを２〜１５ｍｍとしたものである。従って、外部熱源が８０℃とした時に静止空間層の厚さが２ｍｍだと内装材の表面温度は約４７℃、静止空間層の厚さが１５ｍｍだと内装材の表面温度は３２．２℃まで熱伝導が阻止され、快適な室内環境が維持できるという作用を有することとなる。【０００９】  また本発明の第３の断熱シートは、上記静止空間層の空間比率を、空間形成材１に対して０．５〜１０としたものである。従って、空間形成材が多くなって必要な静止空間が得られなくなったり、空間体積が大きくなりすぎて空気対流が生じ熱伝導してしまうことがなくなって、上記したと同様の快適な室内環境が維持できるという作用を有することとなる。【００１０】  また本発明の第４の断熱シートは、上記第２熱反射シートに設けられた内装材を第２熱反射シート表面が部分的に露出するように形成し、この第２熱反射シートの表面露出比率を前記内装材１に対して０．０１〜０．５としたものである。従って、室内からの光熱による対流熱や輻射熱が部分的に露出している第２熱反射シート面で反射されることになって外部に熱伝導することが防げるので室内温度が維持でき上記したと同様の快適な室内環境が維持できるという作用を有することとなる。【００１１】  また本発明の第５の断熱シートは、上記第１および第２熱反射シートの間に設けた空間形成材と静止空間層を複数分割するごとくさらに熱反射シートを配設したものである。従って、断熱シートが二層、三層と形成でき上記したような断熱、遮熱によるさらなる快適な室内環境がえられるという作用を有することとなる。
【発明の効果】
【００１２】  本発明の断熱シートは上記構成を備えたことにより、外部より入ってくる放射熱あるいは輻射熱は第１熱反射シートで反射して発熱を防止し、さらに静止空間層で熱伝導が阻止されることになる。また、室内からの光熱による対流熱や輻射熱も第２熱反射シートで反射し、さらに静止空間層で熱伝導が阻止されることになって快適な室内環境が維持でき、結果として結露をも防止できる。また、静止空間層の厚さを２〜１５ｍｍとすることによって内装材の表面温度を飛躍的に下げることができ快適な室内環境が維持できる。また、静止空間層の空間比率を、空間形成材１に対して０．５〜１０としたことで最適な静止空間が得られ、熱伝導が阻止されて快適な室内環境が維持できる。【００１３】また、内装材を第２熱反射シート表面が部分的に露出するように形成し、この第２熱反射シートの表面露出比率を内装材１に対して０．０１〜０．５とすることによって、室内の光熱による対流熱や輻射熱が部分的に露出している第２熱反射シート面で反射されることになって外部に熱伝導することが防げ室内温度が快適に維持できる。また、空間形成材と静止空間層を複数分割するごとくさらに熱反射シートを配設すれば二層、三層、複数層の断熱シートが形成できるため断熱、遮熱がさらに効果的に行え快適な室内環境が得られる。さらには、空間形成材を柔軟性材で形成すれば断熱シートをロール状にできて運搬や取扱いが容易となるし、必要個所への配設作業では直角に曲げたり、局面的にも対応が容易となるといったような多くの作用効果が得られる。
【図面の簡単な説明】
【００１４】
【図１】本発明の断熱シートの断面図
【図２】（ａ）内装材側からの本発明断熱シートの平面図（ｂ）クロス状内装材の斜視図
【図３】本発明の他の断熱シートの断面図
【発明を実施するための形態】
【００１５】  以下本発明の一実施の形態について、図面を参照しながら説明する。図１は本発明の断熱シートの断面図である。図において、１はアルミニウムシート、２は表面側に内装材３が設けられたアルミニウムシートで、この第１および第２熱反射シートの間に空間形成材４を配置して静止空間層５が形成されている。このように構成された断熱シートを建築物等の外壁６に、第２熱反射シート側を室内に向くように張り付ける。外部より入ってくる放射熱・対流熱・伝導熱あるいは輻射熱等は外壁６で大部分が阻止され、外壁６より入ってくる放射熱あるいは輻射熱はアルミニウムの第１熱反射シートで反射して発熱を防止し、さらに静止空間層では空気の対流がないため熱伝導が阻止され内装材３の表面温度を飛躍的に下げることができる。
【００１６】また、室内からの光熱による対流熱や輻射熱もアルミニウムの第２熱反射シートで反射し、さらに静止空間層５で熱伝導が阻止される。アルミニウムシートは熱線の反射率が高い面と放射率の低い面の両面を有する特性をもっており、室内の内装材３側から対流熱や輻射熱の伝搬が生じた時に、アルミニウムシートで反射すると共に静止空間層５への放射を抑制することになって快適な室内環境が維持でき、結果として結露をも防止できることになる。
【００１７】  つぎに上記した静止空間層５は、第１および第２熱反射シートの間に厚さが１０ｍｍのポリプロピレン・ポリエチレン等の発泡プラスチック樹脂系断熱材やゴム等の柔軟性断熱材を三角形・四角形・ハニカム形状等の多角形状に形成配置して空間形成材４を形成してある。本発明ではこの静止空間層５の厚さが断熱効果に大きな影響を及ぼすことから種々実験的に試行してみた。下表に上記した静止空間層５の層間形成を種々変えて室内の内装材３の表面温度を計測した結果を示す。実験では、一層の断熱シートを用い気温１２℃で熱源として１００Ｖ・４００Ｗの電熱ストーブを第１熱反射シートから３０ｃｍ離間して配置した。電熱ストーブ温度を８０℃に設定してシンワ測定株式会社製７２９４７のデジタル温度計にて測定した。
2016148232.tif 000003
静止空間層５を２ｍｍとっただけでも内装材３の表面温度は約半減近くまで下がり飛躍的に熱伝導が阻止される効果が表れていることがわかる。また、１５ｍｍ以上ではなだらかに低下することから、静止空間層５の厚さは２〜１５ｍｍが最適であることが理解できる。静止空間層５はアルミニウムシートが対向配置される構成になっているため、このアルミニウムシート同士が接触すると熱伝導が起きて断熱を阻害することになる。従って空間形成材４の形状は多角形を密に形成してアルミニウムシート同士が接触するのを防ぐように構成することが望まれる。
【００１８】  さらに、本発明では静止空間層５の空間比率を、空間形成材４全体に対して０．５〜１０の割合で形成すると相乗的に断熱効果が向上することを見出した。この空間形成材４が多くなりすぎる（１０以上）と必要な静止空間が得られなくなり、逆に空間形成材４が少なすぎて（０．５）以下と空間体積が大きくなりすぎると空気対流が生じて熱伝導してしまうことになる。従って、空間形成材全体に対して２〜６の割合が最適で上記したと同様の快適な室内環境が維持できる。
【００１９】  次に本発明では、室内温度を維持し更なる快適な室内環境が維持できるようにするため図２に示す如く、第２熱反射シート２に一体的に設けられた内装材３に図２（ａ）に示す如く複数の開口部７を形成加工し、第２熱反射シート表面が部分的に露出するようにしたものである。すなわちこの第２熱反射シートの表面露出比率を前記内装材３全体に対して０．０１〜０．５の割合で形成したものである。従って、室内からの光熱による対流熱や輻射熱が部分的に露出している第２熱反射シート面で反射されることになって外部に熱伝導することが防げるので室内温度が維持でき上記したと同様の快適な室内環境が維持できる。内装材３としてはポリエチレン・ポリプロピレン等の樹脂系シートや壁紙・薄板・ガラス繊維・不織布等種々あり、図２（ｂ）に示すように、クロス状に編んで交錯点に開口部７を形成加工するようにしても良い。上記した表面露出比率は、小さすぎると反射効果がなくなり、大きすぎると反射光で眩しくなることから、内装材３全体に対して０．０１〜０．２の割合が最適である。また、開口部７に代えて内装材３の一部を薄く形成して熱線を透過させるように構成し、薄く形成された個所でアルミニウムシート２から反射させるようにすることも可能である。
【００２０】  上記した本発明の断熱シートは、第１アルミニウムシートと、表面側に内装材が設けられた第２アルミニウムシートとを備え、この第１および第２アルミニウムシート間に空間形成材を配置して静止空間層を形成したものであり、このような構成によってアルミニウムシートが熱線を反射し、そして静止空間層で熱伝導が阻止される作用をシート状に形成したものである。この断熱シートを建築物等の外壁に張り付けて、外壁からの熱の通し難さを表す熱貫流抵抗を計測したところ、静止空間層５の厚さが２ｍｍのとき熱貫流抵抗Ｒ＝３．６２（ｍ２・ｋ／ｗ）あり、従来の内装クロスの時の熱貫流抵抗値Ｒ＝３．０（ｍ２・ｋ／ｗ）に比べて大幅に増加した。静止空間層５の厚さが２ｍｍのとき従来の熱貫流抵抗値との差が０．６２（ｍ２・ｋ／ｗ）もあり、静止空間層５の厚さが４ｍｍ・８ｍｍ・１５ｍｍと段階的に増加すればおのずと従来の熱貫流抵抗値との差が大きくなり、外壁からの熱を遮断する効果が大きくなることが理解できる。
【００２１】  従って、その作用効果は上述したごとく大であるが、より快適な室内環境を求めるとするならば、図３に示す如く上記した断熱シートの空間形成材４と静止空間層５の中間にこれらを複数分割するごとく、アルミニウムシートの第３の熱反射シート８を設けて複数層に構成する。このような構成とした断熱シートは、上記した一層の断熱シートに比べて相乗的な断熱効果が得られることになる。上記したごとく本発明の断熱シートは二層、三層と簡単に形成できて上記したような断熱、遮熱によるさらなる快適な室内環境が得られる。また、第３の熱反射シート８を挟むように配設される空間形成材４は、互い違いに配置構成すると静止空間層５の空間保護の一助となる。
【産業上の利用可能性】
【００２２】  本発明の断熱シートは、快適な居住空間環境を提供する建築分野あるいは電車・車・飛行機等の乗り物等に活用して有用である。
【符号の説明】
【００２３】１    アルミニウムシート
２    アルミニウムシート
３    内装材
４    空間形成材
５    静止空間層
６    外壁
７    開口部
８    アルミニウムシート
【図１】
2016148232.tif 000004
【図２】
2016148232.tif 000005
【図３】
2016148232.tif 000006